(57)【特許請求の範囲】
【請求項１】
ヘリカルスキャン方式の磁気記録再生装置において、
略円筒状の回転ドラムと、
少なくとも一部が上記回転ドラムの外周部から突き出すように、当該回転ドラムに搭載されたインダクティブ型磁気ヘッドと、
少なくとも一部が上記回転ドラムの外周部から突き出すように、当該回転ドラムに搭載され、回転ドラムの外周部からの突き出し量が上記インダクティブ型磁気ヘッドの回転ドラムの外周部からの突き出し量よりも小さくなされた磁気抵抗効果型磁気ヘッドと、
磁気テープの種類を検出するテープ種類検出手段と、
磁気テープのテープテンションを制御するテープテンション制御手段とを備え、
磁気テープからの情報信号の再生時に、上記テープ種類検出手段によって磁気テープの種類を検出し、その検出結果に応じて、情報信号の再生に使用する磁気ヘッドを上記インダクティブ型磁気ヘッドと上記磁気抵抗効果型磁気ヘッドとのいずれかから選択し、
上記インダクティブ型磁気ヘッドによって情報信号の再生を行う場合には、上記テープテンション制御手段によって、磁気テープのテープテンションを小さくくし、
上記磁気抵抗効果型磁気ヘッドによって情報信号の再生を行う場合には、上記テープテンション制御手段によって、磁気テープのテープテンションを大きくすること
を特徴とする磁気記録再生装置。
【請求項２】
ヘリカルスキャン方式の磁気記録再生方法において、
少なくとも一部が回転ドラムの外周部から突き出すように当該回転ドラムに搭載されたインダクティブ型磁気ヘッドと、少なくとも一部が上記回転ドラムの外周部から突き出すように、当該回転ドラムに搭載されるとともに回転ドラムの外周部からの突き出し量が上記インダクティブ型磁気ヘッドの上記回転ドラムの外周部からの突き出し量よりも小さくなされた磁気抵抗効果型磁気ヘッドとを備えた回転ドラム装置を用い、
磁気テープからの情報信号の再生時に、磁気テープの種類を検出し、その検出結果に応じて、情報信号の再生に使用する磁気ヘッドを上記インダクティブ型磁気ヘッドと上記磁気抵抗効果型磁気ヘッドとのいずれかから選択し、
上記インダクティブ型磁気ヘッドによって情報信号の再生を行う場合には、磁気テープのテープテンションを小さくし、
上記磁気抵抗効果型磁気ヘッドによって情報信号の再生を行う場合には、磁気テープのテープテンションを大きくすること
を特徴とする磁気記録再生方法。
【発明の詳細な説明】
【０００１】
【発明の属する技術分野】
本発明は、磁気抵抗効果型磁気ヘッドを採用した、ヘリカルスキャン方式の磁気記録再生装置及び磁気記録再生方法に関する。
【０００２】
【従来の技術】
磁気テープを記録媒体として用いるビデオテープレコーダ、オーディオテープレコーダ、及びコンピュータ用データストレージシステム等の磁気記録再生装置では、記録密度を上げて大容量化を図るために、ヘリカルスキャン方式が採用されている。
【０００３】
このような磁気記録再生装置には、更なる高記録密度化及び大容量化が望まれている。そこで、更なる高記録密度化及び大容量化を実現するために、ヘリカルスキャン方式の磁気記録再生装置において、再生用磁気ヘッドとして、磁気抵抗効果型磁気ヘッド（以下、ＭＲヘッドと称する。）を用いることが提案されている。
【０００４】
ＭＲヘッドは、記録媒体からの磁界を検出する感磁素子として、磁気抵抗効果素子（以下、ＭＲ素子と称する。）を用いた磁気ヘッドであり、ハードディスクドライブの再生用磁気ヘッドとして実用化されている。一般に、ＭＲヘッドは、インダクティブ型磁気ヘッドよりも感度が高く、大きな再生出力が得られる。したがって、再生用磁気ヘッドとして、ＭＲヘッドを使用することにより、更なる高記録密度化及び大容量化の実現が可能となる。
【０００５】
【発明が解決しようとする課題】
ところで、ハードディスクドライブでは、ＭＲヘッドを浮上スライダに搭載し、ＭＲヘッドを磁気ディスク上で浮上させた状態でデータを再生するようにしている。これに対して、ヘリカルスキャン方式にＭＲヘッドを採用した場合には、ＭＲヘッドを磁気テープに摺動させた状態で、磁気テープからデータを再生することとなる。
【０００６】
しかしながら、このようにＭＲヘッドを磁気テープに摺動させるようにすると、ＭＲヘッドからの再生出力自体は大きくても、ＭＲヘッドは磁気テープとの摺動により摩耗してしまうという問題が生じる。ＭＲヘッドが摩耗してしまうと、再生出力レベルの変動やノイズが多くなり、いわゆるドロップアウトが多くなってしまう。そのため、再生用磁気ヘッドとしてＭＲヘッドを用いたヘリカルスキャン方式の磁気記録再生装置は、未だ実用化に至っていない。
【０００７】
本発明は、上述したような従来の実情に鑑みて提案されたものであり、ＭＲヘッドを用いたヘリカルスキャン方式の磁気記録再生装置及び磁気記録再生方法を提供することを目的とする。
【０００８】
【課題を解決するための手段】
本発明の磁気記録再生装置は、ヘリカルスキャン方式の磁気記録再生装置であって、略円筒状の回転ドラムと、少なくとも一部が上記回転ドラムの外周部から突き出すように当該回転ドラムに搭載されたインダクティブ型磁気ヘッドと、少なくとも一部が上記回転ドラムの外周部から突き出すように当該回転ドラムに搭載されるとともに回転ドラムの外周部からの突き出し量が上記インダクティブ型磁気ヘッドの上記回転ドラムの外周部からの突き出し量よりも小さくなされた磁気抵抗効果型磁気ヘッドと、磁気テープの種類を検出するテープ種類検出手段と、磁気テープのテープテンションを制御するテープテンション制御手段とを備える。そして、この磁気記録再生装置は、磁気テープからの情報信号の再生時に、上記テープ種類検出手段によって磁気テープの種類を検出し、その検出結果に応じて、情報信号の再生に使用する磁気ヘッドを上記インダクティブ型磁気ヘッドと上記磁気抵抗効果型磁気ヘッドとのいずれかから選択し、上記インダクティブ型磁気ヘッドによって情報信号の再生を行う場合には、上記テープテンション制御手段によって磁気テープのテープテンションを小さくし、上記磁気抵抗効果型磁気ヘッドによって情報信号の再生を行う場合には、上記テープテンション制御手段によって磁気テープのテープテンションを大きくすることを特徴とする。
【０００９】
上述したような本発明に係る磁気記録再生装置では、磁気抵抗効果型磁気ヘッドの突き出し量がインダクティブ型磁気ヘッドの突き出し量よりも小さくなされているので、磁気抵抗効果型磁気ヘッドと磁気テープとの接触圧がインダクティブ型磁気ヘッドと磁気テープとの接触圧よりも小さくなる。また、この磁気記録再生装置では、磁気抵抗効果型磁気ヘッドによって情報信号の再生を行う場合には、テープテンション制御手段によって磁気テープのテープテンションを大きくするので、磁気抵抗効果型磁気ヘッドと磁気テープとの当たりが良好になる。
【００１０】
本発明の磁気記録再生方法は、少なくとも一部が上記回転ドラムの外周部から突き出すように当該回転ドラムに搭載されたインダクティブ型磁気ヘッドと、少なくとも一部が上記回転ドラムの外周部から突き出すように、当該回転ドラムに搭載されるとともに回転ドラムの外周部からの突き出し量が上記インダクティブ型磁気ヘッドの上記回転ドラムの外周部からの突き出し量よりも小さくなされた磁気抵抗効果型磁気ヘッドとを備えた回転ドラム装置を用いるヘリカルスキャン方式の磁気記録再生方法である。そして、本発明の磁気記録再生方法は、磁気テープからの情報信号の再生時に磁気テープの種類を検出し、その検出結果に応じて情報信号の再生に使用する磁気ヘッドを上記インダクティブ型磁気ヘッドと上記磁気抵抗効果型磁気ヘッドとのいずれかから選択し、上記インダクティブ型磁気ヘッドによって情報信号の再生を行う場合には、磁気テープのテープテンションを小さくし、上記磁気抵抗効果型磁気ヘッドによって情報信号の再生を行う場合には、磁気テープのテープテンションを大きくすることを特徴とする。
【００１１】
上述したような本発明に係る磁気記録再生方法では、磁気抵抗効果型磁気ヘッドの突き出し量がインダクティブ型磁気ヘッドの突き出し量よりも小さくなされた回転ドラム装置を用いているので、磁気抵抗効果型磁気ヘッドと磁気テープとの接触圧がインダクティブ型磁気ヘッドと磁気テープとの接触圧よりも小さくなる。また、この磁気記録再生方法では、磁気抵抗効果型磁気ヘッドによって情報信号の再生を行う場合には、テープテンション制御手段によって磁気テープのテープテンションを大きくされるので、磁気抵抗効果型磁気ヘッドと磁気テープとの当たりが良好になる。
【００１２】
【発明の実施の形態】
以下、本発明の実施の形態について説明する。
【００１３】
本発明に係る磁気記録再生装置は、磁気テープを記録媒体として用いる磁気記録再生装置であり、例えば、ビデオテープレコーダ、オーディオテープレコーダ又はコンピュータ用データストレージシステム等として使用される。そして、本発明に係る磁気記録再生装置は、回転ドラムを用いて記録再生を行うヘリカルスキャン方式の磁気記録再生装置であり、回転ドラムに搭載された再生用磁気ヘッドとして、ＭＲヘッドを使用する。
【００１４】
本発明を適用した磁気記録再生装置に搭載される回転ドラム装置の一構成例を図１に示す。なお、図１は、回転ドラム装置１の概略を示す斜視図である。
【００１５】
図１に示すように、回転ドラム装置１は、円筒状の固定ドラム２と、円筒状の回転ドラム３と、回転ドラム３を回転駆動するモータ４と、回転ドラム３に搭載されたインダクティブ型磁気ヘッド５ａ，５ｂと、回転ドラム３に搭載されたＭＲヘッド６とを備える。
【００１６】
なお、ここでは、固定ドラム２の上に回転ドラム３が配された、いわゆる上ドラム型の回転ドラム装置１を例に挙げて説明するが、本発明はヘリカルスキャン方式の磁気記録再生装置に対して広く適用可能であり、回転ドラム装置１の種類は問わない。例えば、一対の固定ドラム２に回転ドラム３が挟持された、いわゆる中ドラム型の回転ドラム装置等を用いるようにしてもよい。
【００１７】
上記回転ドラム装置１において、固定ドラム２は、回転することなく保持されるドラムである。この固定ドラム２の側面には、磁気テープ７の走行方向に沿ってリードガイド部８が形成されている。後述するように、記録再生時に磁気テープ７はこのリードガイド部８に沿って走行する。そして、この固定ドラム２と中心軸が一致するように、回転ドラム３が配されている。
【００１８】
回転ドラム３は、磁気テープ７に対する記録再生時に、モータ４によって所定の回転速度で回転駆動されるドラムである。この回転ドラム３は、固定ドラム２と略同径の円筒状に形成されてなり、固定ドラム２と中心軸が一致するように配されている。そして、この回転ドラム３の固定ドラム２に対向する側には、インダクティブ型磁気ヘッド５ａ，５ｂ及びＭＲヘッド６が搭載されている。
【００１９】
インダクティブ型磁気ヘッド５ａ，５ｂは、一対の磁気コアが磁気ギャップを介して接合されるとともに、磁気コアにコイルが巻装されてなる磁気ヘッドである。ここで、インダクティブ型磁気ヘッド５ａ，５ｂは、例えば、インダクティブ型磁気ヘッド５ａが、磁気テープ７に情報信号を記録する際に使用される記録用ヘッドであり、インダクティブ型磁気ヘッド５ｂが、磁気テープ７から情報信号を再生する際に使用される再生用磁気ヘッドである。
【００２０】
このインダクティブ型磁気ヘッド５ａ，５ｂには、従来のヘリカルスキャン方式の磁気記録再生装置で採用されていた公知のインダクティブ型の磁気ヘッドがいずれも使用可能である。なお、インダクティブ型磁気ヘッド５ａとインダクティブ型磁気ヘッド５ｂとはほぼ同様の構成とされているので、以下に示す図２及び後掲する図５において、インダクティブ型磁気ヘッド５ａとインダクティブ型磁気ヘッド５ｂとをまとめてインダクティブ型磁気ヘッド５と称する。
【００２１】
インダクティブ型磁気ヘッド５として、具体的には、図２に示すように、磁気コア１０ａ，１０ｂが、フェライト等からなる軟磁性基板１１ａ，１１ｂと、当該軟磁性基板１１ａ，１１ｂ上に形成された金属磁性膜１２ａ，１２ｂとからなり、一対の磁気コア１０ａ，１０ｂが、磁気ギャップ１３を挟んで金属磁性膜１２ａ，１２ｂが対向するように接合されるとともに巻線溝１４ａ，１４ｂにコイル１５ａ，１５ｂが巻装されてなる、いわゆるＭＩＧ（Metal In Gap）型の磁気ヘッドが特に好適である。
【００２２】
このようなインダクティブ型磁気ヘッド５は、少なくとも一部が上記回転ドラム３の外周部から突き出すように、回転ドラム３に搭載されている。さらに、インダクティブ型磁気ヘッド５は、磁気テープ７との摺動面１６が、矢印Ｄで示される、磁気テープ７に対するインダクティブ型磁気ヘッド５の摺動方向に沿って円筒研削されているとともに、当該摺動方向に対して直交する方向に沿って円筒研削されている。
【００２３】
すなわち、このインダクティブ型磁気ヘッド５の磁気テープ摺動面１６は、磁気ギャップ１３及びその近傍が最も突出するような略球面形状とされている。そして、このインダクティブ型磁気ヘッド５は、磁気ギャップ１３及びその近傍が、回転ドラム３の外周部から突き出すように、回転ドラム３に搭載される。
【００２４】
一方、ＭＲヘッド６は、磁気テープ７からの磁気信号を磁気抵抗効果を利用して検出する感磁素子としてＭＲ素子を備えた磁気ヘッドである。一般に、ＭＲヘッド６は、電磁誘導を利用して記録再生を行うインダクティブ型磁気ヘッド５よりも感度が高く再生出力が大きいので、高密度記録に適している。従って、再生用磁気ヘッドとしてＭＲヘッド６を用いることで、より高密度記録化を図ることができる。
【００２５】
そして、このＭＲヘッド６は、図３及び図４に示すように、軟磁性材料からなる一対の磁気シールド２０，２１と、絶縁体２２を介して一対の磁気シールド２０，２１によって挟持されたＭＲ素子部２３と、ＭＲ素子部２３の両端にそれぞれ配された永久磁石膜２４ａ，２４ｂと、永久磁石膜２４ａ，２４ｂにそれぞれ接続された導体部２５ａ，２５ｂとを備える。
【００２６】
ＭＲ素子部２３は、例えば、磁気抵抗効果を有するＭＲ素子と、ＭＲ素子に垂直バイアス磁界を印加するＳＡＬ（Soft Adjacent Layer）膜と、ＭＲ素子とＳＡＬ膜との間に配された絶縁体膜とからなる。
【００２７】
永久磁石膜２４ａ，２４ｂは、ＭＲ素子に水平バイアス磁界を印加する。また、導体部２５ａ，２５ｂは、端部に形成された外部端子２６ａ，２６ｂを介してＭＲ素子にセンス電流を供給する。
【００２８】
このＭＲヘッド６において、ＭＲ素子部２３は、平面形状が略矩形状となるように形成されており、その短軸方向が磁気テープ摺動面２７に対して略垂直となり、かつ、その一側面が磁気テープ摺動面２７に露呈するように、一対の磁気シールド２０，２１によって絶縁体２２を介して挟持されている。
【００２９】
このようなＭＲヘッド６は、少なくとも一部が上記回転ドラム３の外周部から突き出すように、回転ドラム３に搭載されている。さらに、ＭＲヘッド６は、磁気テープ摺動面２７が、図３及び図４中、矢印Ｅで示される、磁気テープ７に対するＭＲヘッド６の摺動方向に沿って円筒研削されているとともに、当該摺動方向に対して直交する方向に沿って円筒研削されている。
【００３０】
すなわち、このＭＲヘッド６の磁気テープ摺動面２７は、ＭＲ素子部２３及びその近傍が最も突出するような略球面形状とされている。そして、このＭＲヘッド６は、ＭＲ素子部２３及びその近傍が、回転ドラム３の外周部から突き出すように、回転ドラム３に搭載される。
【００３１】
ここで、磁気テープ７と磁気ヘッドとが高速で摺動すると、ヘッドの摺動面は磁気テープ７との摺動により摩耗してしまう。特にＭＲヘッド６は摩耗の影響が非常に大きい。一般に、ＭＲヘッドの摩耗に対する許容度は、インダクティブ型磁気ヘッドの約１／５〜約１／２０程度といわれている。
【００３２】
インダクティブ型磁気ヘッド５ａ，５ｂとＭＲヘッド６とを同一の回転ドラム３上に搭載した場合、インダクティブ型磁気ヘッド５ａ，５ｂはまだ十分使用できても、ＭＲヘッド６はインダクティブ型磁気ヘッド５ａ，５ｂよりも摩耗の影響が大きいため、すぐに限界摩耗量に達し、使用できなくなってしまという問題が生じる。
【００３３】
そこで、この回転ドラム装置１では、図５に示すように、ＭＲヘッド６の回転ドラム３の外周部からの突き出し量ｔ1が、インダクティブ型磁気ヘッド５の回転ドラム３の外周部からの突き出し量ｔ2よりも小さくなされている。ここで、図５は、インダクティブ型磁気ヘッド５及びＭＲヘッド６の一部が回転ドラム３の外周部から突き出している様子を模式的に示した図である。磁気ヘッドの突き出し量として具体的には、インダクティブ型磁気ヘッド５の突き出し量ｔ2を例えば２５μｍ程度とし、ＭＲヘッド６の突き出し量ｔ1を例えば１５μｍ程度とする。
【００３４】
この回転ドラム装置１では、ＭＲヘッド６の突き出し量ｔ1が上記インダクティブ型磁気ヘッド５の突き出し量ｔ2よりも小さくなされているので、インダクティブ型磁気ヘッド５及びＭＲヘッド６が磁気テープ７と接触摺動して記録再生を行う際に、ＭＲヘッド６と磁気テープ７との接触圧が、インダクティブ型磁気ヘッド５と磁気テープ７との接触圧よりも小さくなる。
【００３５】
従って、この回転ドラム装置１では、インダクティブ型磁気ヘッド５及びＭＲヘッド６が磁気テープ７と接触摺動して記録再生を行う際の、ＭＲヘッド６の摩耗を抑えることができる。
【００３６】
そして、磁気記録再生装置は、図６に示すように、このような回転ドラム装置１に磁気テープ７を摺動させて、磁気テープ７へのデータの記録や、磁気テープ７からのデータの再生を行う。ここで、図５は、回転ドラム装置１を含む磁気テープ送り機構３０の概略を示す平面図である。
【００３７】
この磁気テープ送り機構３０は、供給リール３１と、テープ種類判別手段３２と、ガイドロール３３と、テープテンション制御手段３４と、ガイドロール３５と、回転ドラム装置１と、ガイドロール３６，３７と、キャプスタン３８と、キャプスタンモータ３９と、ガイドロール４０と、巻き取りロール４１とを備える。
【００３８】
具体的には、記録再生時に磁気テープ７は、図６に示すように、供給リール３１からガイドローラ３２，３３を経て、回転ドラム装置１に巻き付くように送られ、この回転ドラム装置１で記録再生がなされる。
【００３９】
このような磁気テープ送り機構３０によって磁気テープ７から情報信号の再生を行う際には、まず、磁気テープ７は、供給リール３１から送り出される。
【００４０】
供給リール３１から送り出された磁気テープ７は、まず、テープ種類検出手段３２によりテープの種類が検出される。
【００４１】
磁気テープ７は、例えば、インダクティブ型磁気ヘッドを用いることを想定した磁気テープと、ＭＲヘッドを用いることを想定した磁気テープとに種類分けされる。摩耗に対する影響が小さいインダクティブ型磁気ヘッドを用いることを想定して製造された磁気テープには、磁気ヘッドの摩耗を低減させるような対策があまり講じられていない。しかし、ＭＲヘッドは摩耗に対する影響が非常に大きいため、このような磁気テープに対してＭＲヘッドを用いることはできない。そこで、ＭＲヘッドを用いることを想定し、磁気ヘッドの摩耗を低減させるような対策を講じた磁気テープが開発されている。テープ種類検出手段３２は、このような磁気テープの種類を検出する。
【００４２】
磁気テープ７の種類を検出する方法としては、例えば、テープの種類を示す認識信号を磁気テープ７に予め記録しておく。そして、テープ種類検出手段３２は、磁気テープ７に記録された認識信号を読み取ることにより磁気テープ７の種類を検出する。
【００４３】
そして、テープ種類検出手段３２によって磁気テープ７の種類が検出されると、その検出結果に応じて、磁気テープ７からの情報信号の再生に使用する磁気ヘッドが磁気抵抗効果型磁気ヘッド５ｂとインダクティブ型磁気ヘッド６とのいずれかから選択される。
【００４４】
そして、テープテンション制御手段３４は、磁気テープ７の種類に応じてテープテンションを制御する。このテープテンション制御手段３４は、例えば、伸縮自在となされ、磁気テープ７を支持するテープ支持棒３４ａを有している。テープテンション制御手段３４は、例えば、テープ支持棒３４ａを伸長することにより磁気テープ７のテープテンションを大きくし、また、テープ支持棒３４ａを縮めることにより磁気テープ７のテープテンションを小さくする。
【００４５】
インダクティブ型磁気ヘッド５ｂによって磁気テープ７から情報信号の再生を行う場合には、図６に示すように、テープテンション制御手段３２は、テープ支持棒３２ａを縮めることにより、磁気テープ７のテープテンションを小さくする。具体的には、インダクティブ型磁気ヘッド５ｂによって磁気テープ７から情報信号の再生を行う場合には、テープテンション制御手段３２は、磁気テープ７のテープテンションを例えば、４ｇ／ｃｍ程度とする。
【００４６】
そして、磁気テープ７は、ガイドローラ３５を経て回転ドラム装置１に巻き付くように送られ、この回転ドラム装置１でインダクティブ型磁気ヘッド５ｂにより情報信号の再生がなされる。
【００４７】
インダクティブ型磁気ヘッド５ｂと磁気テープ７とを摺動させたとき、磁気テープ７は、主に回転ドラム３並びに当該回転ドラム３の回転によって生じた空気流によって支持される。そして、このとき、磁気ギャップ部及びその近傍が回転ドラム３の外周部から突き出したインダクティブ型磁気ヘッド５ｂは、磁気テープ７にテント形状を形成するようにして、磁気テープ７に対して接触摺動する。
【００４８】
このとき、インダクティブ型磁気ヘッド５ｂは、磁気ギャップ１３及びその近傍が最も突出するように磁気テープ摺動面１６が円筒研削されており、しかも、その部分が回転ドラム３の外周部から突き出すように回転ドラムに搭載されているので、磁気ギャップ１３の磁気テープ７に対する当たり特性は良好なものとなる。
【００４９】
また、上述したように、インダクティブ型磁気ヘッド５ｂの回転ドラム３の外周面からの突き出し量は、ＭＲヘッド６の回転ドラム３の外周面からの突き出し量よりも大きくなされているので、磁気テープ７のテープテンションが小さくても、インダクティブ型磁気ヘッド５ｂと磁気テープ７との当たりを良好に保つことができる。
【００５０】
このように、インダクティブ型磁気ヘッド５ｂにより情報信号の再生を行う際、ＭＲヘッド６の回転ドラム３の外周面からの突き出し量は、インダクティブ型磁気ヘッド５ｂの回転ドラム３の外周面からの突き出し量よりも小さくなされているので、ＭＲヘッド６と磁気テープ７との接触圧は小さくなり、ＭＲヘッド６の摩耗を抑えることができる。
【００５１】
また、ＭＲヘッド６によって磁気テープ７から情報信号の再生を行う場合には、図７に示すように、テープテンション制御手段３２は、テープ支持棒３２ａを伸長することにより、磁気テープ７のテープテンションを大きくする。具体的には、ＭＲヘッドによって磁気テープから情報信号の再生を行う場合には、テープテンション制御手段３２は、磁気テープ７のテープテンションを例えば、６ｇ／ｃｍ程度とする。
【００５２】
そして、磁気テープ７は、ガイドローラ３５を経て回転ドラム装置１に巻き付くように送られ、この回転ドラム装置１でＭＲヘッド６により情報信号の再生がなされる。
【００５３】
このとき、ＭＲヘッド６の回転ドラム外周面からの突き出し量がインダクティブ型磁気ヘッド５ａ，５ｂの回転ドラム外周面からの突き出し量よりも小さくなされているので、磁気テープ７のテープテンションが小さいと、ＭＲヘッド６と磁気テープ７との接触圧は小さく、ＭＲヘッド６と磁気テープ７との当たりを良好にとることができない。
【００５４】
そこで、ＭＲヘッドによって情報信号の再生を行う場合に、磁気テープ７のテープテンションを大きくすることにより、ＭＲヘッド６と磁気テープ７との当たりを良好にとることができる。また、このとき、ＭＲヘッド６は、ＭＲ素子部２３及びその近傍が最も突出するように磁気テープ摺動面２７が円筒研削されており、しかも、その部分が回転ドラム３の外周部から突き出すように回転ドラム３に搭載されているので、ＭＲ素子部２３の磁気テープ７に対する当たり特性は良好なものとなる。
【００５５】
そして、回転ドラム装置１で情報信号の再生がなされた磁気テープ７は、ガイドローラ３６，３７、キャプスタン３８、ガイドローラ４０を経て、巻き取りロール４１へと送られる。すなわち、磁気テープ７は、キャプスタンモータ３９により回転駆動されるキャプスタン３８によって所定の速度にて送られ、回転駆動される回転ドラム３に搭載されたインダクティブ型磁気ヘッド５ａ，５ｂ及びＭＲヘッド６に接触し摺動した後、巻き取りロール４１に巻き取られる。
【００５６】
また、このように磁気テープ７が送られるとき、回転ドラム３は、図１中の矢印Ａに示すように、モータ４によって回転駆動される。一方、磁気テープ７は、固定ドラム２のリードガイド部８に沿って、固定ドラム２及び回転ドラム３に対して斜めに摺動するように送られる。すなわち、磁気テープ７は、テープ走行方向に沿って、図１中矢印Ｂに示すようにテープ入口側から固定ドラム２及び回転ドラム３に摺接するようにリードガイド部８に沿って送られ、その後、図１中矢印Ｃに示すようにテープ出口側へと送られる。
【００５７】
なお、磁気テープ７の種類を示す認識信号は、磁気テープ７が収納されるテープカートリッジに記録されていてもよい。この場合、テープ種類検出手段３２は、テープカートリッジに記録された認識信号を読み取ることにより磁気テープ７の種類を検出する。
【００５８】
上述した実施の形態では、回転ドラムに記録用インダクティブ型磁気ヘッド、再生用インダクティブ型磁気ヘッド及びＭＲヘッドがそれぞれ１つずつ搭載された回転ドラム装置を例に挙げて説明したが、本発明はこれに限定されるものではなく、回転ドラムに記録用インダクティブ型磁気ヘッド、再生用インダクティブ型磁気ヘッド及びＭＲヘッドがそれぞれ複数個ずつ搭載された回転ドラム装置を用いた磁気録再生装置及び磁気記録再生方法についても適用可能である。
【００５９】
【発明の効果】
本発明では、ＭＲヘッドと磁気テープとの接触圧を小さくすることができ、ＭＲヘッドの摩耗を抑えることができる。また、本発明では、ＭＲヘッドを用いる際に磁気テープのテープテンションを大きくすることで、ＭＲヘッドと磁気テープとの当たりをとり、良好な再生状態を得ることができる。
【００６０】
従って、本発明では、再生用磁気ヘッドとしてＭＲヘッドを用いたヘリカルスキャン方式の磁気記録再生装置及び磁気記録再生方法を実現することができる。
【図面の簡単な説明】
【図１】本発明の回転ドラム装置の一構成例を示す斜視図である。
【図２】上記回転ドラムに搭載されるインダクティブ型磁気ヘッドの一例を示す斜視図である。
【図３】上記回転ドラムに搭載されるＭＲヘッドの一例を示す斜視図である。
【図４】上記ＭＲヘッドを磁気テープ摺動面側から見た平面図である。
【図５】上記回転ドラムに搭載されるインダクティブ型磁気ヘッド及びＭＲヘッドが、当該回転ドラムの外周部から突き出している様子を示す図である。
【図６】上記回転ドラムを含む磁気テープ送り機構の一構成例の概略を示す平面図である。
【図７】ＭＲヘッドを用いて再生を行う際の磁気テープ送り機構の概略を示す平面図である。
【符号の説明】
１  回転ドラム装置、  ２  固定ドラム、  ３  回転ドラム、  ４  モータ、５  インダクティブ型磁気ヘッド、  ６  ＭＲヘッド、  ７  磁気テープ、  ８リードガイド部、  ３２  テープ種類検出手段、  ３４  テープテンション制御手段
【図１】
0003794155.tif 000002
【図２】
0003794155.tif 000003
【図３】
0003794155.tif 000004
【図４】
0003794155.tif 000005
【図５】
0003794155.tif 000006
【図６】
0003794155.tif 000007
【図７】
0003794155.tif 000008